(57)【要約】【課題】  光変換部材が脱落しても、出射した直後のレーザ光の密度を低減して、所望の安全性を保つことができる照明装置を提供すること。【解決手段】  照明装置１は、光源１０と波長変換部材３０とを有している。また照明装置１は、波長変換部材３０が光源１０の光軸１１上から脱落した際に波長変換部材３０と離間することで、出射端面１０ａから波長変換部材３０に向けて出射される励起光の出射角度を拡大する角度拡大部４０を有している。【選択図】      図１Ｃ
2012204547.tif 000002
【特許請求の範囲】
【請求項１】
励起光を出射する光源と、
前記励起光の出射方向に対して前記光源の出射端面の前方且つ前記光源の光軸上に配設され、前記励起光を照射されることで前記励起光の波長を所望に変換して前記励起光とは異なるピーク波長の光を出射する波長変換部材と、
前記波長変換部材が前記光軸上から脱落した際に前記出射端面から出射した直後の前記励起光の密度を低減するために、前記波長変換部材が前記光軸上から脱落した際に前方にて隣接している部材と離間することで、前記出射端面から前記波長変換部材に向けて出射される前記励起光の出射角度を拡大する角度拡大部と、
を具備することを特徴とする照明装置。
【請求項２】
前記角度拡大部は前記出射端面に直接形成されている、または前記角度拡大部は前記光源の先端部に配設され前記出射端面を有する光学部材であることを特徴とする請求項１に記載の照明装置。
【請求項３】
前記角度拡大部は、凹凸形状を有する前記出射端面であることを特徴とする請求項１または請求項２に記載の照明装置。
【請求項４】
前記角度拡大部は、凹形状を有する前記出射端面であることを特徴とする請求項１または請求項２に記載の照明装置。
【請求項５】
前記波長変換部材と共に前記光軸上から脱落し、前記波長変換部材が前記光軸上に配設されている際に前記角度拡大部の前方にて隣接するように配設される角度拡大機能打消し部をさらに具備し、
前記角度拡大機能打消し部は、前記角度拡大部の前方にて隣接して配設されている際に、角度拡大機能打消し部に入射する前記励起光の入射角度が前記角度拡大部に入射する前の入射角度に準ずるように、前記角度拡大部の機能を打ち消すことを特徴とする請求項３または請求項４に記載の照明装置。
【請求項６】
前記波長変換部材は、前記波長変換部材が前記光軸上に配設された際に前記出射端面と後方にて隣接し、前記励起光及び前記励起光とは異なるピーク波長の光を透過するモールド部材を有し、
前記角度拡大機能打消し部は、前記モールド部材を兼ねることを特徴とする請求項５に記載の照明装置。
【請求項７】
前記波長変換部材が前記光軸上に配設された際に、前記出射端面と後方にて隣接するバッファ部材をさらに具備し、
前記波長変換部材は、前記バッファ部材と後方にて隣接し、前記励起光及び前記励起光とは異なるピーク波長の光を透過するモールド部材を有し、
前記角度拡大機能打消し部は、前記バッファ部材を兼ねることを特徴とする請求項５に記載の照明装置。
【請求項８】
前記角度拡大機能打消し部は、前記角度拡大部の形状に倣って変形または流動することを特徴とする請求項６または請求項７に記載の照明装置。
【請求項９】
前記角度拡大部と前記角度拡大機能打消し部との相対位置を固定し、さらに前記角度拡大部と前記角度拡大機能打消し部とを互いに押圧した状態で固定する固定部材をさらに有していることを特徴とする請求項８に記載の照明装置。
【請求項１０】
前記固定部材は、
前記角度拡大部を内包するように保持する保持本体部と、
前記角度拡大機能打消し部を内包するように保持する保持キャップと、
を有し、
前記角度拡大部と前記角度拡大機能打消し部とを互いに押圧した状態で固定するために、前記保持部本体部と前記保持キャップとのどちらか一方が他方に押し込まれ、互いに嵌合していることを特徴とする請求項９に記載の照明装置。
【請求項１１】
前記保持部材本体は、前記角度拡大部と前記角度拡大機能打消し部とが接触している付近で、前記保持部材キャップと嵌合していることを特徴とする請求項１０に記載の照明装置。
【請求項１２】
前記角度拡大機能打消し部は、前記角度拡大部と嵌合する凹凸形状または凸形状を有していることを特徴とする請求項６または請求項７に記載の照明装置。
【請求項１３】
前記角度拡大部は、前記出射端面の中央を中心として形成されていることを特徴とする請求項１２に記載の照明装置。
【請求項１４】
前記角度拡大機能打消し部は、前記出射端面と前記波長変換部材とを接着する化学接着剤を有し、
前記化学接着剤には、前記化学接着剤と略同一の屈折率を有する粒子が分散されており、
前記波長変換部材は、前記出射端面と対向する入射端面に、凹凸形状または凸形状を有しており、
前記角度拡大部は、前記粒子と、前記出射端面と、前記波長変換部材の前記入射端面とを有していることを特徴とする請求項５に記載の照明装置。
【請求項１５】
前記角度拡大機能打消し部は、前記角度拡大部と略同一の屈折率を有していることを特徴とする請求項１乃至１４のいずれかに記載の照明装置。
【発明の詳細な説明】
【技術分野】
【０００１】
本発明は、光変換部材が光源の光軸上から脱落した際に光源から出射した直後のレーザ光の密度を低減する照明装置に関する。
【背景技術】
【０００２】
近年、励起光源と蛍光体とを組み合わせた小型の照明装置が開発されている。このような照明装置は、例えば特許文献１に開示されている。  
特許文献１には、光ファイバから出射される光と異なる波長の光を放出でき、かつ、光出力の高い発光装置及びそれに用いる発光装置が開示されている。
【０００３】
この発光装置１００を図８に示す。この発光装置１００は、光ファイバ１１０を保持する光ファイバ保持部材１２０（フェルール）と、例えば蛍光体といった光変換部材１４０と、光ファイバ保持部材１２０及び光変換部材１４０が挿入可能な内孔を有するキャップ１３０とを有している。
【０００４】
キャップ１３０は、内孔の一端に配設された、光変換部材１４０で変換された光を取り出し可能な開口部１３２と、開口部１３２の内側に向って突出した少なくとも一個以上の係止部１３１とを有している。  
光変換部材１４０がキャップ１３０の内孔に配置される際、係止部１３１が少なくとも１本あれば、光変換部材１４０はキャップ１３０の内孔に固定され、係止部１３１によって生じる光の遮蔽は軽減される。
【０００５】
なお一般的に、光ファイバに入射し光変換部材を発光させる好適な光源としては、光ファイバと同等の大きさの発光点を有し、平行光に近く、光ファイバに高効率に入射する、例えば半導体レーザ光が用いられる。
【先行技術文献】
【特許文献】
【０００６】
【特許文献１】特開２００８−１４７２８９号公報
【発明の概要】
【発明が解決しようとする課題】
【０００７】
上述した特許文献１において、係止部１３１は、光を遮蔽するため、極力小さいものが良い。しかしながら係止部１３１が小さいと、光変換部材１４０がキャップ１３０から脱落する虞が生じる。  
また光変換部材１４０は発光すると発熱し、発熱によって経時的に各部材同士、例えば光変換部材１４０と内孔との固着力が低下し、光変換部材１４０がキャップ１３０から脱落する虞が生じる。
【０００８】
このように部材や使用方法によって、光変換部材１４０がキャップ１３０から脱落する虞が生じる。光変換部材１４０が脱落すると、光源から出射した直後の密度を維持した状態のレーザ光が例えば使用者の目を照射する虞が生じ、所望の安全性を保てない虞が生じる。所望の安全性を保てないと、例えばレーザ光が視神経を傷つけてしまうといったように使用者に負担がかかってしまう。このように光源から出射した直後のレーザ光の密度は、必要に応じて、低減する必要がある。
【０００９】
本発明は、これらの事情に鑑みてなされたものであり、光変換部材が脱落しても、出射した直後のレーザ光の密度を低減して、所望の安全性を保つことができる照明装置を提供することを目的とする。
【課題を解決するための手段】
【００１０】
本発明は目的を達成するために、励起光を出射する光源と、前記励起光の出射方向に対して前記光源の出射端面の前方且つ前記光源の光軸上に配設され、前記励起光を照射されることで前記励起光の波長を所望に変換して前記励起光とは異なるピーク波長の光を出射する波長変換部材と、前記波長変換部材が前記光軸上から脱落した際に前記出射端面から出射した直後の前記励起光の密度を低減するために、前記波長変換部材が前記光軸上から脱落した際に前方にて隣接している部材と離間することで、前記出射端面から前記波長変換部材に向けて出射される前記励起光の出射角度を拡大する角度拡大部と、を具備することを特徴とする照明装置を提供する。
【発明の効果】
【００１１】
本発明によれば、光変換部材が脱落しても、出射した直後のレーザ光の密度を低減して、所望の安全性を保つことができる照明装置を提供することができる。
【図面の簡単な説明】
【００１２】
【図１Ａ】図１Ａは、本発明の第１の実施形態に係る組み立て前の照明装置の概略図である。
【図１Ｂ】図１Ｂは、組み立てられた照明装置の概略図である。
【図１Ｃ】図１Ｃは、図１Ｂに示す状態から波長変換部材が光軸上から脱落した際の照明装置の概略図である。
【図２】図２は、固定部材の概略図である。
【図３】図３は、出射端面と波長変換部材の入射端面との間に隙間が存在する際の励起光の進行を示す図である。
【図４Ａ】図４Ａは、第１の実施形態の第１の変形例における照明装置の概略図である。
【図４Ｂ】図４Ｂは、第１の実施形態の第２の変形例における照明装置の概略図である。
【図４Ｃ】図４Ｃは、第１の実施形態の第３の変形例における照明装置の概略図である。
【図５Ａ】図５Ａは、本発明の第２の実施形態に係る照明装置の概略図である。
【図５Ｂ】図５Ｂは、図５Ａに示す状態から波長変換部材が光軸上から脱落した際の照明装置の概略図である。
【図６Ａ】図６Ａは、本発明の第３の実施形態に係る照明装置の概略図である。
【図６Ｂ】図６Ｂは、本実施形態における出射端面と波長変換部材の入射端面との関係を示す図である。
【図６Ｃ】図６Ｃは、出射端面側から見た光ファイバの斜視図である。
【図６Ｄ】図６Ｄは、入射端面側から見た波長変換部材の斜視図である
【図６Ｅ】図６Ｅは、図６Ｃに示す出射端面の正面図である。
【図６Ｆ】図６Ｆは、図６Ｄに示す入射端面の正面図である。
【図７Ａ】図７Ａは、本発明の第４の実施形態に係る照明装置の概略図である。
【図７Ｂ】図７Ｂは、図７Ａに示す状態から波長変換部材が光軸上から脱落した際の照明装置の概略図である。
【図８】図８は、従来の発光装置を示す図である。
【発明を実施するための形態】
【００１３】
以下、図面を参照して本発明の実施形態について詳細に説明する。  
図１Ａと図１Ｂと図１Ｃと図２と図３とを参照して第１の実施形態について説明する。なお以下において、励起光の進行方向において、進行方向前側を前方、進行方向後側を後方と称する。光源１０の光軸１１に直交する方向を側方１１ａとする。なお光軸１１は、光源１０に含まれる光ファイバ１３の光軸でもある。
【００１４】
図１Ａと図１Ｂと図１Ｃとに示すように、照明装置１は、例えば励起光を出射する光源１０と、励起光の出射方向に対して光源１０の出射端面１０ａの前方且つ光源１０の光軸１１上に配設され、励起光を照射されることで励起光の波長を所望に変換して励起光とは異なるピーク波長の光を出射する波長変換部材３０とを有している。
【００１５】
本実施形態の光源１０は、例えば励起光を出射するレーザ１２と、レーザ１２から出射された励起光を導光する導光部材である光ファイバ１３とを有している。また光源１０は、レーザ１２から出射された励起光を光ファイバ１３に集光する図示しないレンズなどの光学素子を有している。
【００１６】
レーザ１２は、波長変換部材３０を励起及び発光させる光、例えば励起光を出射する。レーザ１２は、例えば小型で低消費電力、且つ光ファイバ１３への励起光の入射効率が高い、ＬＥＤまたは半導体レーザなどである。  
光源１０は、波長変換部材３０に向けて励起光を出射する出射端面１０ａを有している。出射端面１０ａは、光源１０において最も前方に配設されている。本実施形態における出射端面１０ａは、波長変換部材３０側の光ファイバ１３の端面１３ａとなっている。この出射端面１０ａは、波長変換部材３０が光軸１１上に配設された際に、波長変換部材３０の入射端面３０ａと隣接する端面である。
【００１７】
光ファイバ１３は、励起光を効率よく導光する特性を有しており、例えばガラスやプラスチックなどである。光ファイバ１３は、レーザ１２と接続し、レーザ１２から出射された励起光が入射する入射端面である一方の端面と、波長変換部材３０側に配設され、導光された励起光が出射する上述した出射端面１０ａである他方の端面１３ａとを有している。光ファイバ１３の端面１３ａ側は、光ファイバ保持部材１５（フェルール）によって保持されている。これにより出射端面１０ａ（端面１３ａ）は、周囲を光ファイバ保持部材１５によって保持されることとなる。
【００１８】
この光ファイバ保持部材１５は、出射端面１０ａ（端面１３ａ）が光ファイバ保持部材１５の端面１５ａと略同一平面に配設されるように、出射端面１０ａ側を保持している。光ファイバ保持部材１５は、光ファイバ１３の端面１３ａ側を保持するために、光ファイバ１３が嵌合または接着する孔１５ｂを有している。孔１５ｂは、光ファイバ保持部材１５の軸方向において、光ファイバ保持部材１５を貫通している。このような光ファイバ保持部材１５は、円筒形状を有している。光ファイバ保持部材１５は、ジルコニアやガラスや金属などによって形成されている。
【００１９】
波長変換部材３０は、光源１０の出射端面１０ａと隣接するように配設されている。波長変換部材３０は、励起光を吸収することで励起光とは異なる波長の光（例えば蛍光）を前方に照明光として出射する図示しない蛍光粒子と、励起光及び蛍光を高効率に透過するモールド部材３１とを有している。波長変換部材３０は、蛍光粒子をモールド部材３１に分散させることが好適である。モールド部材３１は、波長変換部材３０が光軸１１上に配設された際に出射端面１０ａと後方にて隣接し、励起光及び励起光とは異なるピーク波長の光を透過する。モールド部材３１は、出射端面１０ａ、つまり光ファイバ１３、詳細には光ファイバ１３の図示しないコア部材と略同一の屈折率を有している。
【００２０】
波長変換部材３０は、後述する保持本体部７１と保持キャップ７３とが接続し、波長変換部材３０が光軸１１上に配設された際、出射端面１０ａから出射された励起光が入射する入射端面３０ａを有している。入射端面３０ａは、波長変換部材３０が光軸１１上に配設された際に、励起光の出射方向に対して出射端面１０ａの前方に配設され、出射端面１０ａと光ファイバ保持部材１５の端面１５ａとに隣接する。この入射端面３０ａは、モールド部材３１の端面でもある。入射端面３０ａは、少なくとも出射端面１０ａよりも大きい大きさを有しており、本実施形態では、光ファイバ保持部材１５の端面１５ａと略同様の大きさを有している。
【００２１】
また図１Ａと図１Ｂと図１Ｃとに示すように、照明装置１は、波長変換部材３０が光源１０の光軸１１上から脱落した際に前方にて隣接している部材である例えば波長変換部材３０と離間することで、光源１０の出射端面１０ａから波長変換部材３０に向けて出射される励起光の出射角度（放射範囲）を拡大する角度拡大部４０を有している。
【００２２】
本実施形態の角度拡大部４０は、出射端面１０ａに直接形成されており、具体的には凹凸形状を有する出射端面１０ａとなっている。このように角度拡大部４０は、出射端面１０ａ、つまり光ファイバ１３と一体である。角度拡大部４０は、波長変換部材３０が光源１０の光軸１１上から脱落した際に光源１０（出射端面１０ａ）から出射した直後の励起光の密度を低減する。そのために、角度拡大部４０は、波長変換部材３０が光源１０の光軸１１上から脱落し、角度拡大部４０が例えば波長変換部材３０と離間し、角度拡大部４０が離間によって露出し、角度拡大部４０の前方に空気しか存在しないときに、励起光を拡散する。つまり角度拡大部４０は、出射端面１０ａから出射される励起光の出射角度を拡大した状態で励起光を出射する。
【００２３】
出射端面１０ａは、平面形状を有していると、角度拡大部４０として機能しない。出射端面１０ａが平面形状を有している場合、出射端面１０ａが波長変換部材３０と離間し露出した際、励起光は、平行光に近い状態で端面から出射される。そして、励起光は、使用者の視神経を傷つけてしまうといったような、使用者に負担をかけてしまう虞が生じる。本実施形態では、これを防止するために、上述したように出射端面１０ａは凹凸形状を有し、角度拡大部４０は凹凸形状を有する出射端面１０ａとなっている。このとき角度拡大部４０は、出射端面１０ａから出射した際の励起光の密度を、所望の安全レベルにまで低減する。この安全レベルとは、例えば励起光が使用者の目を照射することで使用者の視神経を傷つけてしまうといったような、励起光によって使用者に負担がかかってしまうことを防止できる状態の励起光の密度を示す。
【００２４】
角度拡大部４０において、凹凸のピッチと高さとは、励起光を拡散させるために、数十μｍからサブミクロンオーダーであることが好適である。凹凸は、例えば出射端面１０ａに光ファイバ１３を溶解する溶液を吹きかけて形成したり、サンドブラスト法によって出射端面１０ａに直接形成すればよい。
【００２５】
また図１Ａと図１Ｂと図１Ｃとに示すように、照明装置１は、波長変換部材３０と共に光源１０の光軸１１上から脱落し、波長変換部材３０が光源１０の光軸１１上に配設されている際に角度拡大部４０の前方にて隣接するように配設される角度拡大機能打消し部５０をさらに有している。角度拡大機能打消し部５０は、角度拡大部４０の前方にて隣接して配設されている際に、角度拡大機能打消し部５０に入射する励起光の入射角度が角度拡大部４０に入射する前の入射角度に準ずる（倣う）ように、角度拡大部４０の機能を打ち消す。本実施形態の角度拡大機能打消し部５０は、上述した波長変換部材３０（モールド部材３１）を兼ねており、波長変換部材３０と一体である。
【００２６】
波長変換部材３０である角度拡大機能打消し部５０は、光源１０の光軸１１上に配設されている場合、角度拡大部４０である出射端面１０ａと隣接している。この場合、角度拡大機能打消し部５０は、励起光を、光ファイバ１３によって導光されている状態、つまり平行光に近い状態で角度拡大機能打消し部５０である波長変換部材３０に入射させ、波長変換部材３０に入射する所望の光量を確保するために、角度拡大部４０の機能、つまり出射角度を拡大する機能を打ち消している。
【００２７】
波長変換部材３０である角度拡大機能打消し部５０は、上述したモールド部材３１となっている。そしてこの場合の角度拡大機能打消し部５０は、波長変換部材３０に入射する所望の光量を確保するために、つまり光ファイバ１３によって導光される励起光を漏らすことなく波長変換部材３０に入射させるために、上述したように、出射端面１０ａ、つまり光ファイバ１３、詳細には光ファイバ１３のコア部材と略同一の屈折率を有している。
【００２８】
このような角度拡大部４０は、光源１０の光軸１１上に配設されている場合、上述したように凹凸形状の出射端面１０ａ（角度拡大部４０）に隣接し、出射端面１０ａ（角度拡大部４０）と互いに押圧する。
【００２９】
波長変換部材３０（モールド部材３１）である角度拡大機能打消し部５０は、図３に示すように、出射端面１０ａと波長変換部材３０との間に隙間１７が生じることを防止し、図１Ｂに示すように出射端面１０ａと密着するために、出射端面１０ａによって押圧されることで、出射端面１０ａ（角度拡大部４０）の形状に倣って弾性変形可能な例えばシリコン樹脂によって形成されている。または角度拡大機能打消し部５０は、押圧されることで出射端面１０ａ（角度拡大部４０）の形状に倣って流動可能なゲル状の部材またはゾル状の部材によって形成されてもよい。出射端面１０ａ（角度拡大部４０）は凹凸形状を有しているため、角度拡大機能打消し部５０は、出射端面１０ａによって押圧されると、押圧された部分（入射端面３０ａ）のみ出射端面１０ａに倣って（追従して）凹凸形状に変形する。このとき角度拡大機能打消し部５０は、図１Ｂに示すように光学的にほぼ界面の存在しない状態で、及び、出射端面１０ａとの間に図３に示すような隙間１７が存在しない状態で、出射端面１０ａ（角度拡大部４０）と密着する。そのため図３に示すように、励起光が隙間１７によって乱反射し、波長変換部材３０に入射する励起光の光量が減少し、照明光が暗くなることが防止される。
【００３０】
なお波長変換部材３０である角度拡大機能打消し部５０は、上述したように光源１０の光軸１１上から脱落した場合、出射端面１０ａである角度拡大部４０と離間する。
【００３１】
また図２に示すように、照明装置１は、角度拡大部４０である出射端面１０ａと、角度拡大機能打消し部５０である波長変換部材３０との相対位置を固定し、さらに出射端面１０ａと波長変換部材３０とを互いに押圧した状態で固定する固定部材７０をさらに有している。固定部材７０は、角度拡大部４０である出射端面１０ａ側の光ファイバ保持部材１５を内包するように保持する保持本体部７１と、角度拡大機能打消し部５０である波長変換部材３０を内包するように保持する保持キャップ７３とを有している。保持本体部７１は、保持キャップ７３と嵌合し、保持キャップ７３と一度接続すると外れにくい構造となっている。例えば保持本体部７１は例えば凸部と凹部とのどちらか一方を有し、保持キャップ７３は凸部と凹部との他方を有している。角度拡大部４０と角度拡大機能打消し部５０とを互いに押圧した状態で固定するために、一方が他方に押し込まれ互いに嵌合することで、保持本体部７１と保持キャップ７３とは固定される。
【００３２】
図２に示すように、保持本体部７１は、底７１ａを有する円筒形状を有している。保持本体部７１は内部に光ファイバ保持部材１５と略同一の大きさの空間部７１ｂを有しており、空間部７１ｂには光ファイバ保持部材１５が嵌め込まれる。また底７１ａには、光ファイバ１３が挿通可能に嵌合する開口部７１ｃが形成されている。
【００３３】
図２に示すように、保持キャップ７３は、底７３ａを有する円筒形状を有している。保持キャップ７３は内部に波長変換部材３０と略同一の大きさの空間部７３ｂを有しており、空間部７３ｂには波長変換部材３０が嵌め込まれる。また底７３ａには、波長変換部材３０から出射された蛍光が通過する開口部７３ｃが形成されている。
【００３４】
保持本体部７１と保持キャップ７３とは、波長変換部材３０が光軸１１上に配設されるように、互いに嵌合する。
【００３５】
光軸１１方向において、保持本体部７１における空間部７１ｂの長さと保持キャップ７３における空間部７３ｂの長さとの和は、出射端面１０ａ（角度拡大部４０）と波長変換部材３０（角度拡大機能打消し部５０）とが互いに押圧した状態で相対位置を固定されるように、出射端面１０ａと波長変換部材３０とが接触する前の状態における光ファイバ保持部材１５の長さと波長変換部材３０の長さとの和よりも短い。
【００３６】
また図１Ｃに示すように、保持本体部７１の縁と保持キャップ７３の縁とには、上述した凸部と凹部とが配設されている。また保持本体部７１と保持キャップ７３とが衝撃などの外力によって分離する際、角度拡大部４０である出射端面１０ａと角度拡大機能打消し部５０である波長変換部材３０とが破損や変形や分解することなく離間し、角度拡大部４０である出射端面１０ａ全面が露出するように、保持本体部７１は、角度拡大部４０である出射端面１０ａと角度拡大機能打消し部５０である波長変換部材３０とが接触している付近で、保持キャップ７３と嵌合している。つまり凸部と凹部、言い換えると保持本体部７１と保持キャップ７３とにおける互いの嵌合位置は、角度拡大部４０である出射端面１０ａと角度拡大機能打消し部５０である波長変換部材３０とが接触する位置の側方１１ａに位置し、近接している。またさらに言い換えると、光軸１１に直交する方向において、保持本体部７１と保持キャップ７３とにおける互いの嵌合位置と、角度拡大部４０である出射端面１０ａと角度拡大機能打消し部５０である波長変換部材３０とが接触する位置とは、同一直線上に配設され、近接している。
【００３７】
次に本実施形態の動作方法について説明する。  
図１Ａに示すように、光ファイバ１３は、光ファイバ保持部材１５の孔１５ｂに嵌合または接着される。このとき、光ファイバ保持部材１５は、出射端面１０ａが光ファイバ保持部材１５の端面１５ａと略同一平面に配設されるように、出射端面１０ａ側を保持している。また図１Ａに示すように、光ファイバ保持部材１５は保持本体部７１の空間部７１ｂに嵌め込まれ、波長変換部材３０は保持キャップ７３の空間部７１ｂには嵌め込まれる。
【００３８】
そして図１Ｂに示すように、凸部と凹部とが嵌め込まれるように、凸部と凹部との一方は他方に押し込まれ、保持本体部７１と保持キャップ７３とは固定される。これにより、角度拡大部４０である出射端面１０ａと、角度拡大機能打消し部５０である波長変換部材３０との相対位置は、固定される。またこのとき、波長変換部材３０は光軸１１上に配設され、波長変換部材３０の入射端面３０ａは、出射端面１０ａを含む光ファイバ保持部材１５の端面１５ａと隣接することとなる。
【００３９】
なお保持本体部７１における空間部７１ｂの長さと保持キャップ７３における空間部７３ｂの長さとの和は、出射端面１０ａと波長変換部材３０とが接触する前の状態における光ファイバ保持部材１５の長さと波長変換部材３０の長さとの和よりも短い。そのため上述したように、保持本体部７１と保持キャップ７３とが固定され、出射端面１０ａと波長変換部材３０との相対位置が固定された際、出射端面１０ａ（角度拡大部４０）と波長変換部材３０（角度拡大機能打消し部５０）とは互いに押圧した状態で固定される。
【００４０】
このとき、波長変換部材３０である角度拡大機能打消し部５０は、波長変換部材３０を押圧する出射端面１０ａである角度拡大部４０の形状に倣って弾性変形する。つまり角度拡大機能打消し部５０は、凹凸形状に変形し、光学的にほぼ界面の存在しない状態で、及び、出射端面１０ａとの間に隙間１７が存在しない状態で、出射端面１０ａ（角度拡大部４０）と密着する。
【００４１】
またこのとき、保持本体部７１は、角度拡大部４０である出射端面１０ａと角度拡大機能打消し部５０である波長変換部材３０とが接触している付近で、保持キャップ７３と嵌合する。
【００４２】
この状態で、レーザ１２は、励起光を出射する。励起光は、光ファイバ１３の一方の端面（入射端面）から光ファイバ１３に入射し、光ファイバ１３によって導光され、出射端面１０ａから波長変換部材３０に向かって出射される。
【００４３】
角度拡大部４０である出射端面１０ａは、凹凸形状を有しているために、励起光の出射角度（放射範囲）を拡大して励起光を出射する。このとき波長変換部材３０である角度拡大機能打消し部５０は、出射端面１０ａと密着しており、角度拡大部４０の機能、つまり出射角度（放射範囲）を拡大する機能を打ち消す。詳細には、波長変換部材３０は、角度拡大機能打消し部５０に入射する励起光の入射角度が角度拡大部４０に入射する前の入射角度に準ずる（倣う）ように、角度拡大部４０の機能を打ち消す。これにより励起光は平行光に近い状態で波長変換部材３０に入射し、波長変換部材３０に入射する所望の光量が確保される。また角度拡大機能打消し部５０は光ファイバ１３（出射端面１０ａ）と略同一の屈折率を有しているため、角度拡大部４０である出射端面１０ａから出射された励起光は漏れることなく角度拡大機能打消し部５０である波長変換部材３０に入射する。
【００４４】
そして波長変換部材３０は、この状態で、励起光の波長を所望に変換して励起光とは異なるピーク波長の光（例えば蛍光）を照明光として前方に出射する。
【００４５】
なお波長変換部材３０（角度拡大機能打消し部５０）は、出射端面１０ａ（角度拡大部４０）によって押圧され、出射端面１０ａ（角度拡大部４０）の形状に倣って凹凸形状に弾性変形し、出射端面１０ａ（角度拡大部４０）と密着している。そのため図３に示すように、出射端面１０ａと波長変換部材３０との間に隙間１７が生じることを防止され、励起光が隙間１７によって乱反射し、波長変換部材３０に入射する励起光の光量が減少し、照明光が暗くなることが防止される。
【００４６】
なお上述したように、角度拡大部４０である出射端面１０ａと角度拡大機能打消し部５０である波長変換部材３０とが接触している付近で、保持本体部７１は保持キャップ７３と嵌合している。そのため図１Ｃに示すように、例えば衝撃などの外力によって、保持本体部７１と保持キャップ７３とが分離すると、角度拡大部４０である出射端面１０ａと角度拡大機能打消し部５０である波長変換部材３０とが破損や変形や分解することなく離間し、さらに角度拡大部４０である出射端面１０ａ全面が露出する。このとき波長変換部材３０は、光軸１１上から脱落する。
【００４７】
そして角度拡大部４０である出射端面１０ａは、凹凸形状を有しているために、励起光を平行光に近い状態で出射させず、励起光の出射角度（放射範囲）を拡大して励起光を出射し、励起光を拡散させる。これにより出射端面１０ａから出射した直後の励起光の密度は、角度拡大部４０によって安全レベルにまで低減する。これにより、使用者の視神経を傷つけてしまうといったような、励起光によって使用者に負担がかかってしまうことが防止される。
【００４８】
このように本実施形態では、波長変換部材３０が光軸１１上から脱落しても、出射端面１０ａである角度拡大部４０によって、励起光の出射角度（放射範囲）を拡大して励起光を出射できるため、励起光を拡散でき、出射端面１０ａから出射された直後の励起光の密度を低減することができる。またこれにより、本実施形態では、励起光によって使用者に負担がかかってしまうことを防止でき、所望の安全性を保つことができる。
【００４９】
また本実施形態を、角度拡大部４０を出射端面１０ａに直接形成することで、出射端面１０ａから出射された直後の励起光の出射角度（放射範囲）を拡大して励起光を出射できる。これにより本実施形態では、出射端面１０ａから出射した直後の励起光の密度を低減することができ、より高い安全性を保つことができる。
【００５０】
また本実施形態では、出射端面１０ａを凹凸形状とすることで、励起光を例えば平行光に近い状態で出射させず、励起光の出射角度を拡大して出射できるために、出射端面１０ａから出射された直後の励起光の密度を低減することができる。
【００５１】
また本実施形態では、波長変換部材３０が光軸１１上に配設されている際に、角度拡大部４０によって拡大された出射角度を、角度拡大機能打消し部５０によって、角度拡大機能打消し部５０に入射する励起光の入射角度が角度拡大部４０に入射する前の入射角度に準ずる（倣う）ように、角度拡大部４０の機能を打ち消すことができる。これにより、本実施形態では、励起光を、平行光に近い状態で波長変換部材３０に入射させることができ、波長変換部材３０に入射する所望の光量を確保できる。
【００５２】
また本実施形態では、角度拡大機能打消し部５０が波長変換部材３０を兼ねることで、波長変換部材３０が光軸１１上から脱落した際に無駄な動作をすることなく角度拡大部４０である出射端面１０ａを露出でき、波長変換部材３０が光軸１１上に配設されることで素早く波長変換部材３０として機能できる。また本実施形態では、角度拡大機能打消し部５０が波長変換部材３０を兼ねることで、角度拡大機能打消し部５０としてのみ機能する部材を削除でき、結果的に部品点数を削減でき、照明装置１をコンパクトにできる。
【００５３】
また本実施形態では、角度拡大機能打消し部５０は角度拡大部４０の形状に倣って変形または流動でき、固定部材７０によって、角度拡大部４０と角度拡大機能打消し部５０とを押圧した状態で固定できる。これにより本実施形態では、角度拡大機能打消し部５０を角度拡大部４０に密着できるために、角度拡大部４０である出射端面１０ａと角度拡大機能打消し部５０である波長変換部材３０との間に隙間１７が生じることを防止でき、励起光の乱反射を防止でき、波長変換部材３０に入射する励起光の光量の減少を防止でき、照明光が暗くなることを防止できる。
【００５４】
また本実施形態では、保持本体部７１と保持キャップ７３とにおける凸部と凹部との一方を他方に押し込み、凸部と凹部とを嵌合させている。また本実施形態では、保持本体部７１における空間部７１ｂの長さと保持キャップ７３における空間部７３ｂの長さとの和を、出射端面１０ａと波長変換部材３０とが接触する前の状態における光ファイバ保持部材１５の長さと波長変換部材３０の長さとの和よりも短くしている。そのため、本実施形態では、角度拡大部４０と角度拡大機能打消し部５０とを押圧した状態で固定でき、角度拡大部４０と角度拡大機能打消し部５０との密着性を向上させることができる。
【００５５】
また本実施形態では、角度拡大部４０と角度拡大機能打消し部５０とが接触している付近で、保持本体部７１と保持キャップ７３とを嵌合させている。これにより本実施形態では、保持本体部７１と保持キャップ７３とが衝撃などの外力によって分離した際、角度拡大部４０である出射端面１０ａと角度拡大機能打消し部５０である波長変換部材３０とは、それぞれが破損や変形や分解することなく離間する。よって本実施形態では、出射端面１０ａが露出しても、角度拡大部４０が破損や変形や分解することは無いために、角度拡大部４０が正常に機能し、結果的に上述したように、励起光の出射角度を拡大して出射できる。これにより本実施形態では、出射端面１０ａから出射された直後の励起光の密度を低減することができる。また本実施形態では、角度拡大部４０である出射端面１０ａ全面を確実に露出できるために、角度拡大部４０を確実に機能させることができる。
【００５６】
また本実施形態では、角度拡大機能打消し部５０の屈折率を光ファイバ１３の屈折率と略同一にすることで、光ファイバ１３によって導光される励起光を漏らすことなく波長変換部材３０に入射でき、光量を確保できる。
【００５７】
また本実施形態では、光ファイバ保持部材１５によって、光ファイバ１３を容易にハンドリングでき、出射端面１０ａと波長変換部材３０とを容易に固定できる。
【００５８】
また本実施形態では、光ファイバ保持部材１５と空間部７１ｂとを略同一の大きさにし、光ファイバ保持部材１５を空間部７１ｂに嵌め込むことができ、波長変換と空間部７１ｂとを略同一の大きさにし、波長変換を空間部７１ｂに嵌め込むことができる。これにより本実施形態では、照明装置１を簡単に組み立てることができる。
【００５９】
次に本実施形態の第１の変形例について図４Ａを参照して説明する。  
例えば端面１３ａは、平面となっている。また本変形例の角度拡大部４０は、光源１０の先端部である光ファイバ１３の端面１３ａに接着され、凹凸形状の出射端面１０ａを有している例えばガラスの光学部材４１を有している。この光学部材４１の直径は、光ファイバ１３のコア径と一致している。
【００６０】
本変形例では、光学部材４１によっても、第１の実施形態と同様の効果を得ることができる。また本変形例では、光ファイバ１３を直接加工する必要が無く、加工の不備によって光ファイバ１３全体が無駄になることを防止でき、安価にすることができる。
【００６１】
次に本実施形態の第２の変形例について図４Ｂを参照して説明する。  
本変形例での角度拡大部４０は、凹形状を有する出射端面１０ａとなっている。このとき、出射端面１０ａは、球面となっている。またこのとき出射端面１０ａに対向する角度拡大機能打消し部５０である波長変換部材３０の入射端面３０ａは、凹形状の出射端面１０ａに嵌め込まれる大きさを有するような凸形状を有している。または、角度拡大機能打消し部５０である波長変換部材３０は、光軸１１方向における出射端面１０ａの長さ（深さ）よりも長くなるように凸形状を有していても良い。
【００６２】
次に本実施形態の第３の変形例について図４Ｃを参照して説明する。  
角度拡大部４０である出射端面１０ａを含む光ファイバ保持部材１５の端面１５ａ全体は、凹形状を有していても良い。このとき、端面１５ａ全体は、球面となっている。またこのとき端面１５ａに対向する角度拡大機能打消し部５０である波長変換部材３０の入射端面３０ａ全体は、凹形状の端面１５ａに嵌め込まれる大きさを有するような凸形状を有している。または、波長変換部材３０の入射端面３０ａは、光軸１１方向における端面の長さ（深さ）よりも長くなるように凸形状を有していても良い。
【００６３】
次に、本発明に係る第２の実施形態について図５Ａと図５Ｂとを参照して説明する。なお、第１の実施形態と同一の構成については、第１の実施形態と同一の参照符号を付すことにより説明を省略する。  
図５Ａと図５Ｂとに示すように、照明装置１は、波長変換部材３０が光軸１１上に配設された際に本実施形態の角度拡大部４０である出射端面１０ａと後方にて隣接するバッファ部材３３をさらに有している。
また本実施形態の波長変換部材３０は、励起光を吸収することで励起光とは異なる波長の光（例えば蛍光）を前方に照明光として出射する図示しない蛍光粒子と、バッファ部材３３と後方にて隣接し、励起光及び蛍光を高効率に透過するモールド部材３５とを有している。
【００６４】
波長変換部材３０は、バッファ部材３３を介して出射端面１０ａと接続している。波長変換部材３０は、蛍光粒子をモールド部材３５に分散させることが好適である。モールド部材３５は、例えばシリコーン樹脂やエポキシ樹脂やガラスなどである。
【００６５】
本実施形態の角度拡大機能打消し部５０は、バッファ部材３３を兼ねている。このバッファ部材３３は、励起光を高効率にモールド部材３５に向かって透過させる。またバッファ部材３３は、第１の実施形態の波長変換部材３０（モールド部材３１）と同様に、出射端面１０ａによって押圧されることで、出射端面１０ａ（角度拡大部４０）の形状に倣って弾性変形可能な例えばシリコン樹脂によって形成されている。または、バッファ部材３３は、第１の実施形態の波長変換部材３０と同様に、押圧されることで出射端面１０ａ（角度拡大部４０）の形状に倣って流動可能なゲル状の部材またはゾル状の部材によって形成されてもよい。
【００６６】
バッファ部材３３とモールド部材３５とは、光ファイバ１３によって導光される励起光を漏らすことなく波長変換部材３０に入射させるために、出射端面１０ａ、つまり光ファイバ１３、詳細には光ファイバ１３の図示しないコア部材と略同一の屈折率を有している。
【００６７】
モールド部材３５の硬度は、特に限定されない。
【００６８】
本実施形態の動作方法は、第１の実施形態の動作方法と略同様であるため、詳細な説明は省略する。  
なお本実施形態では、波長変換部材３０が光軸１１上に配設されている場合、角度拡大機能打消し部５０であるバッファ部材３３は、バッファ部材３３を押圧する出射端面１０ａ（角度拡大部４０）の形状に倣って弾性変形する。つまりバッファ部材３３は、凹凸形状に変形し、光学的にほぼ界面の存在しない状態で、及び、出射端面１０ａとの間に隙間１７が存在しない状態で、出射端面１０ａ（角度拡大部４０）と密着する。そのため出射端面１０ａとバッファ部材３３との間に隙間１７が生じることを防止され、励起光が隙間１７によって乱反射し、波長変換部材３０に入射する励起光の光量が減少し、照明光が暗くなることが防止される。
【００６９】
また角度拡大機能打消し部５０であるバッファ部材３３と、モールド部材３５とは、光ファイバ１３と略同一の屈折率を有しているため、光ファイバ１３によって導光される励起光は漏れることなく波長変換部材３０に入射する。
【００７０】
そして波長変換部材３０は、この状態で、励起光の波長を所望に変換して励起光とは異なるピーク波長の光（例えば蛍光）を照明光として前方に出射する。
【００７１】
このように本実施形態では、第１の実施形態と同様の効果を得ることができる。また本実施形態では、モールド部材３５の硬度に制限は無いために、モールド部材３５の自由度を向上でき、照明装置１を安価にできる。また本実施形態では、例えばバッファ部材３３を柔らかい材料にすることで、モールド部材３５に対して、蛍光体を均一に分散する分散性や、透明性や、高耐熱性といったモールド部材３５に求められる機能を有する材料を選択することができる。
【００７２】
次に、本発明に係る第３の実施形態について図６Ａと図６Ｂと図６Ｃと図６Ｄと図６Ｅと図６Ｆとを参照して説明する。なお、第１，２の実施形態と同一の構成については、第１，２の実施形態と同一の参照符号を付すことにより説明を省略する。  
本実施形態の角度拡大機能打消し部５０である波長変換部材３０は、図示しない蛍光粒子とモールド部材３５とを有している。波長変換部材３０（モールド部材３５）は、凹凸形状の出射端面１０ａと嵌合するように、凹凸形状を有している。
【００７３】
本実施形態の角度拡大部４０である凹凸形状の出射端面１０ａは、例えば凹凸形状の第１の金型によって成形される。また凹凸形状の波長変換部材３０は、第１の金型に対してネガポジ反転した凹凸形状の第２の金型によって成形される。波長変換部材３０は、樹脂が光ファイバ１３を有する第２の金型に流し込まれ固化されることで、形成される。なお光ファイバ１３が凹凸形状の波長変換部材３０に直接形成されてもよい。
【００７４】
図６Ｃと図６Ｄと図６Ｅと図６Ｆとに示すように、本実施形態の出射端面１０ａと波長変換部材３０とは、嵌合のための位置あわせと、光軸１１の軸周り方向における自由度を残すために、出射端面１０ａの中央１０ｂを中心として形成され、詳細には出射端面１０ａの中央１０ｂを中心とする同心円状の凹凸を有していることが好適である。
【００７５】
また図６Ｂと図６Ｃと図６Ｄと図６Ｅと図６Ｆとに示すように、出射端面１０ａの径方向において、出射端面１０ａにおける凹凸の山部１０ｄと溝部１０ｅとの間の各間隔は、同一（均一）である必要は無く、波長変換部材３０が光軸１１上から脱落し、励起光が出射端面１０ａから出射される際に、励起光の干渉を防止し、励起光を拡散して出射させるために、ランダム（不均一）であることが好適である。この点は、波長変換部材３０における凹凸の山部３０ｄと溝部３０ｅとについても同様である。
【００７６】
また図６Ｂと図６Ｃと図６Ｄとに示すように、光軸１１方向において、出射端面１０ａにおける凹凸の山部１０ｄと溝部１０ｅとにおける各長さは、凸レンズやフレネルレンズのように励起光を集光することを防止するために、ランダム（不均一）であることが好適である。この点は、波長変換部材３０における凹凸の山部３０ｄと溝部３０ｅとについても同様である。
【００７７】
モールド部材３５の硬度は、特に限定されない。
【００７８】
本実施形態の動作方法は、第１，２の実施形態の動作方法と略同様であるため、詳細な説明は省略する。  
このように本実施形態では、第１，２の実施形態と同様の効果を得ることができる。また本実施形態では、出射端面１０ａの凹凸と波長変換部材３０の凹凸とが嵌合するために、角度拡大部４０である出射端面１０ａと、角度拡大機能打消し部５０である波長変換部材３０との相対位置を直接的により強固に固定できる。
【００７９】
また本実施形態では、出射端面１０ａの凹凸と波長変換部材３０の凹凸とが嵌合するために、光軸１１方向における保持本体部７１における空間部７１ｂの長さと保持キャップ７３における空間部７３ｂの長さについて考慮する必要が無く、固定部材７０の設計の自由度を向上させることができる。
【００８０】
また本実施形態では、出射端面１０ａと波長変換部材３０とにおいて、出射端面１０ａの凹凸と波長変換部材３０の凹凸とを同心円状に形成し、凹凸の中心を出射端面１０ａの中心に位置決めし、凹凸の中心を波長変換部材３０の端面の中心に位置決めすることで、光軸１１の軸周り方向における自由度を確保した状態で、嵌合と位置決めでき、照明装置１を容易に組み立てることができる。
【００８１】
また本実施形態では、出射端面１０ａの径方向において、凹凸の山部１０ｄと溝部１０ｅとの間の各間隔を不均一にすることで、励起光の干渉を防止し、励起光を拡散して出射できる。
【００８２】
また本実施形態では、光軸１１方向において、出射端面１０ａにおける凹凸の山部１０ｄと溝部１０ｅとにおける各長さを、ランダムにすることで、励起光が集光することを防止できる。
【００８３】
次に、本発明に係る第４の実施形態について図７Ａと図７Ｂとを参照して説明する。なお、第１，２，３の実施形態と同一の構成については、第１，２，３の実施形態と同一の参照符号を付すことにより説明を省略する。  
本実施形態では、出射端面１０ａは凹凸形状を有し、出射端面１０ａと対向する波長変換部材３０の部分（入射端面３０ａ）は凹凸形状を有している。出射端面１０ａと波長変換部材３０とは、化学接着剤５１によって接着されている。化学接着剤５１には、その内部に化学接着剤５１とほぼ同一の屈折率を有する粒子５１ａが分散されている。この粒子５１ａは、出射端面１０ａと入射端面３０ａとにおける凹凸のピッチと高さと同様に、数十μmからサブミクロンオーダーの径を有することが好適である。
【００８４】
本実施形態における角度拡大部４０は、出射端面１０ａと、粒子５１ａと、入射端面３０ａとを有している。言い換えると、出射端面１０ａと、粒子５１ａと、入射端面３０ａとは、角度拡大部４０を兼ねている。  
また本実施形態における、角度拡大機能打消し部５０は、粒子５１ａを除く化学接着剤５１である。  
波長変換部材３０に含まれるモールド部材３５の硬度は、特に限定されない。
【００８５】
化学接着剤５１と粒子５１ａとは、光ファイバ１３によって導光される励起光を散乱させることなく波長変換部材３０に入射させるために、出射端面１０ａ、つまり光ファイバ１３、詳細には光ファイバ１３の図示しないコア部材と略同一の屈折率を有している。
【００８６】
本実施形態の動作方法は、第１，２，３の実施形態の動作方法と略同様であるため、詳細な説明は省略する。  
なお本実施形態では、波長変換部材３０が光軸１１上から脱落した際、全ての化学接着剤５１が波長変換部材３０の入射端面３０ａに貼りつき、角度拡大部４０の一部である出射端面１０ａを含む光ファイバ保持部材１５の端面１５ａが露出する。または、全ての化学接着剤５１が光ファイバ保持部材１５の端面１５ａに貼りつき、角度拡大部４０の一部である入射端面３０ａが露出する。または図７Ｂに示すように、化学接着剤５１の一部が端面１５ａに貼りつき、化学接着剤５１の他部が入射端面３０ａに貼りついたままとなり、化学接着剤５１が分断されて、角度拡大部４０の一部である粒子５１ａが露出する。このとき、粒子５１ａ自体は、分断されない。
【００８７】
上述したように化学接着剤５１が分断された時、複数の粒子５１ａの一部分が空気中に露出するため、端面に凹凸形状が形成される。そのため、励起光は、出射端面１０ａによって、出射角度（放射範囲）を拡大して出射され、拡散する。
【００８８】
このように本実施形態では、第１，２，３の実施形態と同様の効果を得ることができる。また本実施形態では、化学接着剤５１によって、組み立て時に出射端面１０ａと波長変換部材３０とを隣接させる必要は無く、この状態であっても、光ファイバ１３と略同一の屈折率を有する化学接着剤５１によって、光ファイバ１３によって導光される励起光をさらに漏らすことなく波長変換部材３０に入射でき、光量をより確実に確保できる。
【００８９】
また本実施形態では、角度拡大機能打消し部５０である化学接着剤５１によって、角度拡大部４０の一部である出射端面１０ａと波長変換部材３０との相対位置を直接的により強固に固定できる。
【００９０】
本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。
【符号の説明】
【００９１】
１…照明装置、１０…光源、１０ａ…出射端面、１１…光軸、１３…光ファイバ、１３ａ…端面、１５…光ファイバ保持部材、１５ａ…端面、３０…波長変換部材、３０ａ…入射端面、４０…角度拡大部、５０…角度拡大機能打消し部、７０…固定部材、７１…保持本体部、７３…保持キャップ。
【図１Ａ】
2012204547.tif 000003
【図１Ｂ】
2012204547.tif 000004
【図１Ｃ】
2012204547.tif 000005
【図２】
2012204547.tif 000006
【図３】
2012204547.tif 000007
【図４Ａ】
2012204547.tif 000008
【図４Ｂ】
2012204547.tif 000009
【図４Ｃ】
2012204547.tif 000010
【図５Ａ】
2012204547.tif 000011
【図５Ｂ】
2012204547.tif 000012
【図６Ａ】
2012204547.tif 000013
【図６Ｂ】
2012204547.tif 000014
【図６Ｃ】
2012204547.tif 000015
【図６Ｄ】
2012204547.tif 000016
【図６Ｅ】
2012204547.tif 000017
【図６Ｆ】
2012204547.tif 000018
【図７Ａ】
2012204547.tif 000019
【図７Ｂ】
2012204547.tif 000020
【図８】
2012204547.tif 000021